(57)【要約】【課題】簡単な構成で操作感を損なうことなく水密液密状態を維持し得る防塵防滴構造を実現したスイッチ装置を提供する。【解決手段】外面１３ａとその裏面１３ｂを有し操作者の操作により往復操作可能な操作部材１３と、開口４ｃを有し操作部材の往復移動を案内する支持部材４と、開口周りを囲い支持部材の外面４ｄ若しくは操作部材の裏面に固着するための固定面２１ｃと固定面の裏面２１ｄとからなる固定部２１ｂと、操作部材の裏面若しくは支持部材の外面に摺接するため、開口周りを囲い固定部の裏面から薄膜状に立ち上がり操作部材の裏面若しくは支持部材の外面に当接して撓むように形成されたリップ部２１ａとを有するシール部材２１とを具備する。【選択図】図２
2017117583.tif 000002
【特許請求の範囲】
【請求項１】
外面とその裏面を有し、操作者の操作により往復操作可能な操作部材と、
開口を有し、上記操作部材の往復移動を案内する支持部材と、
上記開口周りを囲い、上記支持部材の外面若しくは上記操作部材の裏面に固着するための固定面と該固定面の裏面とからなる固定部と、上記操作部材の裏面若しくは上記支持部材の外面に摺接するため、上記開口周りを囲い上記固定部の裏面から薄膜状に立ち上がり、上記操作部材の裏面若しくは上記支持部材の外面に当接して撓むように形成されたリップ部と、を有するシール部材と、
を具備することを特徴としたスイッチ装置。
【請求項２】
上記リップ部は、上記固定部の裏面から複数形成され、それぞれは上記開口を囲うことを特徴とした請求項１記載のスイッチ装置。
【請求項３】
上記リップ部は、上記固定部の裏面から上記固定部の外周に向って斜めに延びて形成されていることを特徴とした請求項１又は請求項２記載のスイッチ装置。
【請求項４】
上記操作部材は、往復移動方向に延びた小判状に形成され、該往復移動方向の両端側に上記リップ部が複数形成されていることを特徴とした請求項１又は請求項２記載のスイッチ装置。
【請求項５】
上記リップ部は、半円弧状に形成され、その半円弧状の一端が上記固定部の裏面から延び、他端が自由端となり、上記操作部材の裏面若しくは上記支持部材の外面を摺接することを特徴とした請求項１に記載のスイッチ装置。
【発明の詳細な説明】
【技術分野】
【０００１】
この発明は、スライド式スイッチ部材に対応したスイッチ装置における防塵防滴構造に関するものである。
【背景技術】
【０００２】
従来、一般に普及している各種の電子機器等においては、可動する操作部材と、この操作部材が作用するスイッチ部材とを含むスイッチ装置を備えたものがある。この種の電子機器等におけるスイッチ装置には、例えば操作部材を機器本体に対して押圧する押しボタン式のものや、操作部材を機器本体の表面に沿って摺動させるスライド式のもの等、各種の形態のスイッチ部材に対応するものがある。
【０００３】
一方、従来の電子機器等に採用されているスイッチ装置は、可動する操作部材の配設部位における隙間等を介して機器内部へと浸入する水や塵埃等を抑止するための防塵防滴構造を備えたものが、例えば特開２００３−３３２７６１号公報等によって種々提案され、また実用化されている。
【０００４】
上記特開２００３−３３２７６１号公報等によって開示されているスイッチ装置は、スライド式のスイッチ部材の取付位置において電子機器内部への浸水を防ぐ防塵防滴構造を備えている。この防塵防滴構造は、スライド式の操作部材の一部が嵌合する機器側のガイド孔と、このガイド孔を取り囲んで機器の固定部に対し密着して設けられ、上記操作部材の裏面と常に密着し、中実で環形状に形成されたシール部材を有して構成している。
【先行技術文献】
【特許文献】
【０００５】
【特許文献１】特開２００３−３３２７６１号公報
【発明の概要】
【発明が解決しようとする課題】
【０００６】
ところが、上記特開２００３−３３２７６１号公報等によって開示されているスイッチ装置の防塵防滴構造は、機器の固定部とスライド式の操作部材の裏面との間に、中実で環形状に形成されたシール部材が設けられており、このシール部材は常に上記両者に密着した状態となっている。このため、シール部材の弾性力が操作部材のスライド操作力量に影響を与え、よって操作感を阻害する原因になっているという問題点がある。
【０００７】
本発明は、上述した点に鑑みてなされたものであって、その目的とするところは、スライド式のスイッチ部材に対応したスイッチ装置において、簡単な構成で、操作感を損なうことなく水密液密状態を維持することができ、よって確実な防塵防滴構造を実現したスイッチ装置を提供することである。
【課題を解決するための手段】
【０００８】
上記目的を達成するために、本発明の一態様のスイッチ装置は、外面とその裏面を有し、操作者の操作により往復操作可能な操作部材と、開口を有し、上記操作部材の往復移動を案内する支持部材と、上記開口周りを囲い、上記支持部材の外面若しくは上記操作部材の裏面に固着するための固定面と該固定面の裏面とからなる固定部と上記操作部材の裏面若しくは上記支持部材の外面に摺接するため、上記開口周りを囲い上記固定部の裏面から薄膜状に立ち上がり、上記操作部材の裏面若しくは上記支持部材の外面に当接して撓むように形成されたリップ部と、を有するシール部材とを具備する。
【発明の効果】
【０００９】
本発明によれば、スライド式のスイッチ部材に対応したスイッチ装置において、簡単な構成で、操作感を損なうことなく水密液密状態を維持することができ、よって確実な防塵防滴構造を実現したスイッチ装置を提供することができる。
【図面の簡単な説明】
【００１０】
【図１】本発明の第１の実施形態のスイッチ装置を適用した交換用レンズ鏡筒を示す外観斜視図
【図２】図１のレンズ鏡筒において、複数の操作部材が配設されている部分を拡大して示す要部拡大斜視図
【図３】図１のレンズ鏡筒に適用されるスイッチ装置の構成を示す要部拡大断面図（図２の［３］−［３］線に沿う縦断面図）
【図４】図１のスイッチ装置におけるシール部材のみを取り出して示し、主に上面側を示す外観斜視図
【図５】図４の矢印符号［５］方向から見た平面図
【図６】図４の矢印符号［６］方向から見た側面図
【図７】図６の［７］−［７］線に沿う縦断面図
【図８】第１の実施形態のスイッチ装置におけるシール部材についての第１変形例を示し、シール部材の主に上面側を示す外観斜視図
【図９】図８の矢印符号［９］方向から見た平面図
【図１０】図８の矢印符号［１０］方向から見た側面図
【図１１】図１０の［１１］−［１１］線に沿う縦断面図
【図１２】第１の実施形態のスイッチ装置におけるシール部材についての第２変形例を示し、シール部材の主に上面側を示す外観斜視図
【図１３】図１２の矢印符号［１３］方向から見た平面図
【図１４】図１３の［１４］−［１４］線に沿う縦断面図
【図１５】図１３の［１５］−［１５］線に沿う縦断面図
【図１６】第１の実施形態のスイッチ装置におけるシール部材についての第３変形例を示し、シール部材の主に上面側を示す外観斜視図
【図１７】図１６の矢印符号［１７］方向から見た平面図
【図１８】図１７の［１８］−［１８］線に沿う縦断面図
【図１９】図１７の［１９］−［１９］線に沿う縦断面図
【図２０】第１の実施形態のスイッチ装置におけるシール部材についての第４変形例を示し、シール部材の主に上面側を示す外観斜視図
【図２１】図２０の矢印符号［２１］方向から見た平面図
【図２２】図２１の［２２］−［２２］線に沿う縦断面図
【図２３】図２１の［２３］−［２３］線に沿う縦断面図
【図２４】第１の実施形態のスイッチ装置におけるシール部材についての第５変形例を示し、シール部材の主に上面側を示す外観斜視図
【図２５】図２４の矢印符号［２５］方向から見た平面図
【図２６】図２５の［２６］−［２６］線に沿う縦断面図
【図２７】図２５の［２７］−［２７］線に沿う縦断面図
【図２８】本発明の第２の実施形態のスイッチ装置の無負荷状態（通常状態）を示す縦断面図
【図２９】図２８のスイッチ装置において、の操作部材に対し押圧力が付加された状態（押圧状態）を示す縦断面図
【発明を実施するための形態】
【００１１】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１２】
なお、本発明の各実施形態は、例えばデジタルカメラやビデオカメラ等の撮像装置に対して着脱自在に装着し得る形態のいわゆる交換用レンズ鏡筒に適用されるスイッチ装置を例示するものである。しかし、本発明は、この例のみに限られることはなく、その他の各種の形態の電子機器に対しても同様に適用することができる。
【００１３】
［第１の実施形態］
まず、本発明の第１の実施形態のスイッチ装置についての説明を行う前に、このスイッチ装置を適用した交換用レンズ鏡筒（以下、単にレンズ鏡筒という）の概略構成を説明する。図１は、本発明の第１の実施形態のスイッチ装置を適用した交換用レンズ鏡筒を示す外観斜視図である。図２は、図１のレンズ鏡筒において、複数の操作部材が配設されている部分を拡大して示す要部拡大斜視図である。
【００１４】
図１に示すように、本実施形態のスイッチ装置（後述）を適用したレンズ鏡筒１は、複数の外装部材（３，４）等によって全体として略筒形状に形成されている。レンズ鏡筒１の外面上には、複数の操作部材（１１，１２，１３，１４等）等が配設されている。
【００１５】
複数の外装部材（３，４）は、いずれも略円筒形状に形成される固定枠部材である。このうち、当該レンズ鏡筒１における光軸Ｏに沿う方向において、前寄りの部位に配置される外装部材３を第１外装部材３というものとする。また、当該レンズ鏡筒１における光軸Ｏに沿う方向において、略中央部位から後端寄りの部位に配置される外装部材４を第２外装部材４というものとする。
【００１６】
上記２つの外装部材（３，４）の内部には、図示されていないが、複数の光学レンズ等からなる撮像光学系と、この撮像光学系の複数の光学レンズをそれぞれ保持する複数の保持部材等のほか、これら保持部材のうちの一部の可動部材を光軸Ｏに沿う方向へと進退移動させるための駆動機構及び駆動部材等や、さらに可動部材を光軸Ｏに沿う方向へと移動可能に支持する固定部材等のほか、上記複数の操作部材等からの入力を受けて所定の動作を行わせる機構部若しくは電気的構成部材等を有して構成されている。
【００１７】
なお、これらの内部構成部材については、図面の煩雑化を避けるために図示を省略している。また、これらの内部構成部材は、従来一般的な構成のレンズ鏡筒において利用されているものが適用されているものとして、その詳細説明は省略する。
【００１８】
図示のように、レンズ鏡筒１の前面寄りの一端部（前端部）には、例えばフード筒２が着脱自在に、かつ光軸Ｏに沿う方向に進退自在に配設されている。フード筒２は、当該レンズ鏡筒１の撮像光学系へと入射する被写体側からの光束のうち撮像に寄与しない不要光や撮像に悪影響を及ぼす虞のある有害光等を遮蔽するために用いるアクセサリ機器である。なお、図１に示す状態は、フード筒２が当該レンズ鏡筒１の第１外装部材３の外面を覆う位置に配置された収納状態を示している。
【００１９】
一方、レンズ鏡筒１の背面寄りの他端部（後端部）には、例えばレンズマウントリング６が固設されている。レンズマウントリング６は、当該レンズ鏡筒１が対応する撮像装置（不図示）の前面の所定の取り付け位置に対して、当該レンズ鏡筒１を装着するためのレンズ鏡筒取付用金具である。そのために、不図示の撮像装置側には、これに対応するように形成されたボディ側マウント部が設けられている。
【００２０】
このレンズ鏡筒１側のレンズマウントリング６とボディ側マウント部（不図示）は、例えばバヨネット式の連結手段が採用されている。撮像装置とレンズ鏡筒との連結手段は、従来一般に実用化されているものである。したがって、これについても、当該レンズ鏡筒１においては、従来実用化されている一般的な形態のものが採用されているものとして、その詳細構成の図示及び説明は省略する。
【００２１】
また、レンズ鏡筒１に設けられる複数の操作部材としては、押しボタン式操作部材１１と、複数のスライド式操作部材（１２，１３）と、回転式操作部材１４等がある。
【００２２】
このうち、回転式操作部材１４は、例えば使用者（ユーザ）の手動による焦点調節操作を入力するためのフォーカスリング等である。この回転式操作部材（以下、フォーカスリングという）１４は、レンズ鏡筒１における光軸Ｏ周りに回転自在となるように、略筒形状に形成され、レンズ鏡筒１の外周面上に配設されている。これと同時に、フォーカスリング１４は、光軸Ｏに沿う方向において所定の範囲内において所定の範囲内で進退自在に構成されている。
【００２３】
具体的には、上記フォーカスリング１４は、光軸Ｏ周りに回転操作することで手動焦点調節を行い得る操作部材である。また、これと同時に、上記フォーカスリング１４は、光軸Ｏに沿う方向に移動させることによって、自動焦点調節（オートフォーカス；ＡＦ）モードと手動焦点調節（マニュアルフォーカス；ＭＦ）モードとを切り換えるための切り換え操作部材としても機能する。このフォーカスリング１４を操作することにより生じる具体的な作用については、本発明に直接関連しない部分であるので、その説明は省略する。
【００２４】
一方、レンズ鏡筒１に設けられる複数の操作部材のうち押しボタン式操作部材１１は、レンズ鏡筒１に対する各種の設定（所定の機能を実行するための設定）のうち、予め割り当てられた一つ又は複数の設定を直接行うための機能設定用のレンズファンクションボタンである。この押しボタン式操作部材（以下、レンズファンクションボタンという）１１には、レンズ鏡筒１において設定し得る各種の設定項目のうちから使用者（ユーザ）が所望する機能に対応する設定項目を予め選択して割り当てることができるように構成されている。即ち、使用者（ユーザ）は、当該レンズ鏡筒１が装着された撮像装置（不図示）を用いて、予め所定の操作を任意の時に行って、レンズ鏡筒１に対して設定し得る複数の設定項目のうちから所望の設定項目（一つ又は複数）をファンクションボタン１１に割り当てることができる。そして、使用者（ユーザ）は、上記レンズ鏡筒１が装着された撮像装置（不図示）を使用する際には、所望する時に上記ファンクションボタン１１を押圧操作することで、ファンクションボタン１１に割り当てられた設定項目に対応する機能の呼び出しを行って、レンズ鏡筒１に対する所望の設定を行うことができるように構成されている。ここで、例えばファンクションボタン１１の一回の押圧操作にて第１の設定を行うことができる。この状態で、さらにファンクションボタン１１を押圧操作すると、上記第１の設定を解除すると共に第２の設定への切り換えを行ったり、若しくは上記第１の設定を解除して元の設定に戻すといった設定操作ができるように構成される。
【００２５】
他方、レンズ鏡筒１に設けられる複数の操作部材のうち複数のスライド式操作部材（１２，１３）は、当該レンズ鏡筒１に対する各種の設定のうち所定の機能設定用の操作部材である。このスライド式操作部材（１２，１３）は、例えばレンズ内手振れ補正機能（ＩＳ（Image Stabilization）機能という）をオンオフするためのＩＳツマミ１２や、オートフォーカスの駆動範囲を所定の範囲に制限するためのフォーカスリミッターツマミ１３等である。
【００２６】
上記ＩＳツマミ１２は、第２外装部材４の外周面上において光軸Ｏに沿う方向に所定の範囲内でスライド移動自在に設けられている。そのために、上記第２外装部材４には、上記ＩＳツマミ１２を配設すると共に、当該ＩＳツマミ１２のスライド範囲に対応する凹部４ａが形成されている。なお、ＩＳツマミ１２は、当該凹部４ａ内において光軸Ｏに沿う方向の前寄り位置と、同後寄り位置との二つの所定の位置の間をスライドするように構成されている。そして、上記ＩＳツマミ１２を含むスイッチ装置としては、例えば、上記ＩＳツマミ１２をスライドさせて上記二つの所定の位置に配置した時、その位置を維持するためのクリックストップ機構等を内部に備えている。
【００２７】
上記フォーカスリミッターツマミ１３は、上記ＩＳツマミ１２の配設位置に対し、当該レンズ鏡筒１の第２外装部材４の周方向に並べて配置されている。このフォーカスリミッターツマミ１３も、上記ＩＳツマミ１２と略同様に、第２外装部材４の外周面上において光軸Ｏに沿う方向に所定の範囲内でスライド移動自在に設けられている。そして、上記フォーカスリミッターツマミ１３は、上記凹部４ａに周方向に隣設して形成される同様形状の凹部４ｂ内に配設されている。この凹部４ｂは、フォーカスリミッターツマミ１３のスライド範囲に対応している。なお、フォーカスリミッターツマミ１３は、当該凹部４ｂ内において光軸Ｏに沿う方向の前寄りの第１の位置と、同後寄りの第２の位置との二つの所定の位置の間でスライドするように構成されている。
【００２８】
そして、上記フォーカスリミッターツマミ１３を含むスイッチ装置としては、例えば、上記フォーカスリミッターツマミ１３をスライドさせて上記二つの所定の位置（第１，第２の位置）に配置した時、その位置を維持するためのクリックストップ機構等を内部に備えている。さらに、当該フォーカスリミッターツマミ１３を含むスイッチ装置においては、上記第１の位置と上記第２の位置との間の中間位置となる第３の位置等、上記第１，第２の各位置以外のその他の複数の所定の位置を設定し、各所定の位置においてフォーカスリミッターツマミ１３を停止させ、その位置を維持するような構成としてもよい。
【００２９】
具体的には、フォーカスリミッターツマミ１３を、例えば第１の位置に配置したときには、最短撮影距離から無限遠までの全域でフォーカシングが行われ、オートフォーカスの駆動範囲を制限しない動作モードに設定できる。また、フォーカスリミッターツマミ１３を、例えば第２の位置に配置したときには、最短撮影距離から所定の距離までの範囲内でフォーカシングが行われ、オートフォーカスの駆動範囲を最短寄りの所定の範囲で制限する動作モードに設定できる。さらに、フォーカスリミッターツマミ１３を、例えば第３の位置に配置したときには、所定の距離から無限遠までの範囲内でフォーカシングが行われ、オートフォーカスの駆動範囲を無限遠寄りの所定の範囲で制限する動作モードに設定できる。
【００３０】
なお、上記複数の操作部材のうちファンクションボタン１１，ＩＳツマミ１２，フォーカスリミッターツマミ１３は、いずれも、当該レンズ鏡筒１における光軸Ｏに沿う線上の略中間部位に配置される第２外装部材４の外周面上に設置されている。レンズ鏡筒１の構成は以上の通りである。なお、レンズ鏡筒１のその他の構成については、本発明に直接関連しない部分であるので、それらについての説明は省略する。
【００３１】
次に、本発明の第１の実施形態のスイッチ装置について、以下に説明する。図３は、本実施形態のレンズ鏡筒（図１参照）に適用されるスイッチ装置の構成を示す要部拡大断面図である。この図３は、図２の［３］−［３］線に沿う縦断面図である。なお、図３においては、本実施形態のスイッチ装置の構成を主に示すために、当該スイッチ装置に関連しない他の構成部材については省略して図示している。
【００３２】
また、図４〜図７は、本実施形態のスイッチ装置における防水部材としてのシール部材のみを取り出して示す図である。このうち、図４は、本実施形態のスイッチ装置におけるシール部材の主に上面側を示す外観斜視図である。図５は、図４の矢印符号［５］方向から見た平面図である。図６は、図４の矢印符号［６］方向から見た側面図である。図７は、図６の［７］−［７］線に沿う縦断面図である。
【００３３】
以下に説明する第１の実施形態においては、図３に示すように、スライド式操作部材の一つであるフォーカスリミッターツマミ１３を含むスイッチ装置２０を、例に挙げて示す。
【００３４】
スイッチ装置２０は、フォーカスリミッターツマミ１３と、シール部材２１と、第２外装部材４の一部（凹部４ｂ近傍部位）とによって主に構成されている。
【００３５】
フォーカスリミッターツマミ１３は、全体として略矩形状若しくは略小判状の平板形状に形成され、外面に露呈する表面１３ａと、この表面１３ａの反対側の面となる裏面１３ｂとを有している。このフォーカスリミッターツマミ１３は、使用者（ユーザ）である操作者の操作によって、第２外装部材４の表面に沿って光軸Ｏに沿う方向（図３に示す矢印Ｓ方向参照）において所定の範囲内で往復操作が可能となるように配設された操作部材である。このフォーカスリミッターツマミ１３は、上述したように、第２外装部材４に形成された凹部４ｂ内に配設されている。
【００３６】
フォーカスリミッターツマミ１３の表面１３ａには、その略中央部分から外方に向けた凸状のツマミ部１３ｃが形成されている。このツマミ部１３ｃは、使用者（ユーザ）が当該フォーカスリミッターツマミ１３をスライド操作する際に、手指等を当てる指係り部となる部位である。
【００３７】
また、フォーカスリミッターツマミ１３の裏面１３ｂには、その略中央部分から中空棒状の操作軸部１３ｄが植設されている。この操作軸部１３ｄは、第２外装部材４の凹部４ｂ内に形成された開口４ｃに遊嵌状態（freely fit）で配置されている。この開口４ｃは、例えば光軸Ｏに沿う方向（矢印Ｓに沿う方向）の延出する長溝状に形成されている。したがって、この開口４ｃに遊嵌配置された操作軸部１３ｄは、当該開口４ｃに沿って移動すると共に、当該開口４ｃの一端と他端との間（図３の符号Ｗ参照）の範囲内でのみ往復移動する。つまり、開口４ｃは、遊嵌配置された操作軸部１３ｄの移動方向をガイドし移動範囲を規制する案内部として機能している。換言すると、上記開口４ｃが形成されている第２外装部材４は、上記の構成によって、フォーカスリミッターツマミ１３（操作部材）の往復移動を案内する支持部材となっている。そして、この構成により、フォーカスリミッターツマミ１３は、上述したように、凹部４ｂ内において光軸Ｏに沿う方向の前寄りの第１の位置と、同後寄りの第２の位置との二つの所定の位置の間でスライドするように構成されている。なお、フォーカスリミッターツマミ１３の移動方向は、例えば略矩形状若しくは略小判状の長軸に沿う方向、即ち図３に示す矢印Ｓに沿う方向となるように構成されている。
【００３８】
操作軸部１３ｄの先端部には、不図示のスイッチ部材に作用する操作子２２がビス２３によって固設されている。上記操作子２２は、上記開口４ｃを第２外装部材４の内側から覆う様に配設されている。この構成により、操作子２２は、上記フォーカスリミッターツマミ１３の操作軸部１３ｄが開口４ｃから抜け落ちないように措置すると共に、不図示のスイッチ部材に作用して電気的な開閉を行う役目をしている。
【００３９】
なお、上記スイッチ部材は、図示を省略しているが、フォーカスリミッターツマミ１３（操作部材）の往復操作を受けて電気回路における電気的な開閉を行うための被操作部材でありスイッチ手段である電気部品である。
【００４０】
シール部材２１は、図３に示すように、上記第２外装部材４（支持部材）の凹部４ｂの外面側の平面４ｄ上において、開口４ｃの周縁を囲うように、例えば接着材等を用いて固着されている。
【００４１】
ここで、シール部材２１は、開口４ｃの周縁を囲い上記平面４ｄに固着される固定面２１ｃと当該固定面２１ｃの裏面２１ｄとからなる固定部２１ｂを有している。また、シール部材２１は、開口４ｃの周縁を囲い固定部２１ｂの裏面２１ｄから立ち上がり薄膜状に形成されるリップ部２１ａとを有して構成されている。このリップ部２１ａは、当該スイッチ装置２０が組み立てられた状態、即ち図３に示す状態とされたとき、フォーカスリミッターツマミ１３（操作部材）の裏面１３ｂに摺接するように配置される。
【００４２】
このような構成により、上記シール部材２１は、スイッチ装置２０に組み込まれたとき、固定面２１ｃが開口４ｃの周縁を囲うように凹部４ｂの平面４ｄに対して固着されると同時に、リップ部２１ａがフォーカスリミッターツマミ１３（操作部材）の裏面１３ｂに当接し撓むことによって、常にリップ部２１ａと裏面１３ｂとが常に密着するように形成されている。
【００４３】
なお、本実施形態において、上記リップ部２１ａは、固定部２１ｂの裏面２１ｄから立ち上がり、固定部２１ｂの外周に向けて斜め上方に延出するように形成されている。
【００４４】
このように構成された本実施形態のスイッチ装置２０の作用は、次に示す通りである。即ち、第２外装部材４の凹部４ｂの平面４ｄにおける所定の部位、つまり開口４ｃの周縁を覆う部位に対しシール部材２１が固着される。
【００４５】
この状態で第２外装部材４の凹部４ｂの開口４ｃに、フォーカスリミッターツマミ１３の操作軸部１３ｄが挿入される。このとき操作軸部１３ｄは、開口４ｃに対して遊嵌状態である。この状態にある操作軸部１３ｄに対して、第２外装部材４の内側から操作子２２を挟んでビス２３が締結される。これにより、フォーカスリミッターツマミ１３は、第２外装部材４の凹部４ａ内に配設される。このとき、フォーカスリミッターツマミ１３の操作軸部１３ｄは、開口４ｃに沿って移動自在となっている。これにより、フォーカスリミッターツマミ１３は、凹部４ｂ内において所定の方向に所定の範囲内でのみ往復移動し得る状態で第２外装部材４に取り付けられる。
【００４６】
この状態において、シール部材２１のリップ部２１ａは、開口４ｃの全周縁を囲うように、フォーカスリミッターツマミ１３（操作部材）の裏面１３ｂに当接し撓んだ状態となっていて、リップ部先端（自由端）とその近傍部が当接した状態となっている。
【００４７】
したがって、これにより、フォーカスリミッターツマミ１３（操作部材）が第２外装部材４の凹部４ｂ内を平面４ｄに沿って光軸Ｏに沿う方向に往復移動するとき、シール部材２１のリップ部２１ａは、フォーカスリミッターツマミ１３（操作部材）の移動に従動しながらも自身が撓んでいることにより、フォーカスリミッターツマミ１３（操作部材）の裏面１３ｂに対し常に当接した状態を維持し水密液密状態を維持し得る。この場合において、リップ部２１ａは、薄膜状に形成したので、Ｏ（オー）リングなどの中実断面を有するシール部材と比較して軽い接触圧のため、フォーカスリミッターツマミ１３（操作部材）の操作感を損なうようなこともない。
【００４８】
以上説明したように上記第１の実施形態によれば、使用者（ユーザ）の操作によって支持部材（第２外装部材４）に対しスライド式の往復操作が可能な操作部材（フォーカスリミッターツマミ１３）を有するスイッチ装置２０において、支持部材（第２外装部材４）の凹部４ｂの開口４ｃの周縁を囲うように、支持部材（第２外装部材４）の平面４ｄと操作部材（フォーカスリミッターツマミ１３）の裏面１３ｂとの間にシール部材２１を挟持されるように配置した。
【００４９】
この場合において、シール部材２１は、開口４ｃの周縁を囲い支持部材（第２外装部材４）の外面に固着するための固定面２１ｃと固定面２１ｃの裏面２１ｄとからなる固定部２１ｂと、開口４ｃの周縁を囲い固定部２１ｂの裏面２１ｄから薄膜状に立ち上がり、操作部材（フォーカスリミッターツマミ１３）の裏面１３ｂに当接して撓むように形成され、操作部材（フォーカスリミッターツマミ１３）の裏面１３ｂに摺接するリップ部２１ａを有するように構成している。
【００５０】
これにより、スライド式のスイッチ部材及び操作部材を含むスイッチ装置２０において、シール部材２１の形状を工夫するのみの簡単な構成で、操作感を損なうことなく常に水密液密状態を維持することができ、よって確実な防塵防滴構造を実現できる。
【００５１】
なお、上記第１の実施形態のスイッチ装置のシール部材については、上述した形態例に限られることはなく、他のさまざまな形態が考えられる。以下に、上記スイッチ装置におけるシール部材の形態に関する複数の変形例を示す。
【００５２】
［第１変形例］
図８〜図１１は、上記第１の実施形態のスイッチ装置におけるシール部材についての第１変形例を示す図である。このうち、図８は、本変形例のシール部材の主に上面側を示す外観斜視図である。図９は、図８の矢印符号［９］方向から見た平面図である。図１０は、図８の矢印符号［１０］方向から見た側面図である。図１１は、図１０の［１１］−［１１］線に沿う縦断面図である。
【００５３】
本変形例に示すシール部材２１Ａは、固定部２１Ａｂと、リップ部２１Ａａとによって構成されている。本変形例のシール部材２１Ａは、基本的には上述の第１の実施形態で説明したシール部材２１と略同様の構成からなる。本変形例のシール部材２１Ａにおいては、リップ部２１Ａａの形状が若干異なるのみである。したがって、上述の第１の実施形態と同じ構成については、同じ符号を用いて当該変形例の説明に引用し、その図示及び説明は省略する。
【００５４】
即ち、本変形例のシール部材２１Ａにおいて、リップ部２１Ａａは、開口４ｃ（不図示）の周縁を囲い固定部２１Ａｂの裏面２１Ａｄから薄膜状に立ち上がり、操作部材１３（不図示）の裏面１３ｂ（不図示）に当接して撓むように形成され、操作部材１３の裏面１３ｂ（不図示）に摺接するリップ部２１Ａａを有して構成されている。この点において、上述の第１の実施形態と略同様である。
【００５５】
本変形例のシール部材２１Ａは、リップ部２１Ａａが半円弧に形成されている点において、上記第１の実施形態とは異なる。そして、その半円弧状の一端は、固定部２１Ａｂの裏面１３ｂ（不図示）から延びており、上記半円弧状の他端は自由端となって、上記半円弧状の一部分が上記操作部材１３（不図示）の裏面１３ｂを摺接する。
【００５６】
このような構成の上記第１変形例のシール部材２１Ａを適用したスイッチ装置においても、上記第１の実施形態と同様の効果を得ることができる。
【００５７】
［第２変形例］
図１２〜図１５は、上記第１の実施形態のスイッチ装置におけるシール部材についての第２変形例を示す図である。このうち、図１２は、本変形例のシール部材の主に上面側を示す外観斜視図である。図１３は、図１２の矢印符号［１３］方向から見た平面図である。図１４は、図１３の［１４］−［１４］線に沿う縦断面図である。図１５は、図１３の［１５］−［１５］線に沿う縦断面図である。
【００５８】
本変形例に示すシール部材２１Ｂは、固定部２１Ｂｂと、第１リップ部２１Ｂａと、第２リップ部２１Ｂｘとによって構成されている。本変形例のシール部材２１Ｂは、基本的には上述の第１の実施形態で説明したシール部材２１と略同様の構成からなる。これに加えて、本変形例のシール部材２１Ｂにおいては、第２リップ部２１Ｂｘが付加されている点が異なる。つまり、本変形例のシール部材２１Ｂにおいては、固定部２１Ｂｂの裏面２１Ｂｄから延出するリップ部（２１Ｂａ，２１Ｂｘ）が複数形成されている点において、上述の第１の実施形態とは異なる。それ以外の構成においては、上記第１の実施形態と略同様である。したがって、上述の第１の実施形態と同じ構成については、その詳細説明は省略する。
【００５９】
本変形例のシール部材２１Ｂにおいて、第１リップ部２１Ｂａは、開口４ｃ（不図示）の周縁を囲い固定部２１Ｂｂの裏面２１Ｂｄから薄膜状に立ち上がり、操作部材１３（不図示）の裏面１３ｂ（不図示）に当接して撓むように形成され、操作部材１３（不図示）の裏面１３ｂ（不図示）に摺接する第１リップ部２１Ｂａを有して構成されている。この第１リップ部２１Ｂａは、固定部２１Ｂｂの裏面２１Ｂｄから立ち上がり、固定部２１Ｂｂの外周に向けて斜め上方に延出するように形成されている。この点において、上述の第１の実施形態と略同様である。
【００６０】
本変形例のシール部材２１Ｂにおいては、さらに、第２リップ部２１Ｂｘを有している。この第２リップ部２１Ｂｘは、固定部２１Ｂｂの裏面２１Ｂｄから立ち上がり、固定部２１Ｂｂの内周に向けて斜め上方に延出するように形成されている。そして、当該第２リップ部２１Ｂｘは、操作部材１３（不図示）の往復移動方向における両端部分近傍に形成されている。
【００６１】
このような構成の上記第２変形例のシール部材２１Ｂを適用したスイッチ装置においても、上記第１の実施形態と同様の効果を得ることができる。さらに、本変形例においては、操作部材の往復移動方向の両端部分に複数（各二つ）のリップ部（２１Ｂａ，２１Ｂｘ）を設け、第１リップ部２１Ｂａは外周に向けて形成し、第２リップ部２１Ｂｘは内周に向けて形成している。この構成により、本変形例のシール部材２１Ｂにおいては、操作部材が往復移動する際に、リップ部を常に適切に追従させることができ、この複数のリップ部を操作部材１３の移動方向に重ねることにより、より効果的に水密状態を確保できる。
【００６２】
［第３変形例］
図１６〜図１９は、上記第１の実施形態のスイッチ装置におけるシール部材についての第３変形例を示す図である。このうち、図１６は、本変形例のシール部材の主に上面側を示す外観斜視図である。図１７は、図１６の矢印符号［１７］方向から見た平面図である。図１８は、図１７の［１８］−［１８］線に沿う縦断面図である。図１９は、図１７の［１９］−［１９］線に沿う縦断面図である。
【００６３】
本変形例に示すシール部材２１Ｃは、固定部２１Ｃｂと、第１リップ部２１Ｃａと、第２リップ部２１Ｃｘとによって構成されている。本変形例のシール部材２１Ｃは、基本的には上述の第１の実施形態で説明したシール部材２１及び上記第２変形例で例示したシール部材２１Ｂと略同様の構成からなる。本変形例のシール部材２１Ｃにおいては、第２リップ部２１Ｃｘが全周に亘って形成されている点が異なる。
【００６４】
つまり、本変形例のシール部材２１Ｃにおいては、固定部２１Ｃｂの裏面２１Ｃｄから延出するリップ部（２１Ｃａ，２１Ｃｘ）が複数形成されている点において、上述の第２変形例と同様であるが、この場合において、第２リップ部２１Ｃｘが全周に亘って形成されている点において、第２の変形例と異なる。それ以外の構成においては上記第１の実施形態，第２の変形例と略同様である。したがって、上述の第１の実施形態と同じ構成については、その詳細説明は省略する。
【００６５】
本変形例のシール部材２１Ｃにおいて、第１リップ部２１Ｃａは、開口４ｃ（不図示）の周縁を囲い固定部２１Ｃｂの裏面２１Ｃｄから薄膜状に立ち上がり、操作部材１３（不図示）の裏面１３ｂ（不図示）に当接して撓むように形成され、操作部材１３（不図示）の裏面１３ｂ（不図示）に摺接する第１リップ部２１Ｃａを有して構成されている。そして、この第１リップ部２１Ｃａは、固定部２１Ｃｂの裏面２１Ｃｄから立ち上がり、固定部２１Ｃｂの外周に向けて斜め上方に延出するように形成されている。この点において、上述の第１の実施形態，第２変形例と略同様である。
【００６６】
一方、本変形例のシール部材２１Ｃにおいては、さらに、第２リップ部２１Ｃｘを有している。この第２リップ部２１Ｃｘは、上記第１リップ部２１Ｃａの内周側において開口４ｃ（不図示）の周縁を囲い、固定部２１Ｃｂの裏面２１Ｃｄから立ち上がり、固定部２１Ｃｂの外周に向けて斜め上方に延出するように形成されている。つまり、第２リップ部２１Ｃｘは、第１リップ部２１Ｃａの内周側において開口４ｃ（不図示）を囲うように全周に亘って、上記第１リップ部２１Ｃａと隣接して形成されている。この場合において、第１リップ部２１Ｃａと第２リップ部２１Ｃｘの両方の先端部分および先端部分近傍が操作部材１３（不図示）の裏面１３ｂ（不図示）に摺接するように配置されている。
【００６７】
このような構成の上記第３変形例のシール部材２１Ｃを適用したスイッチ装置においても、上記第１の実施形態と同様の効果を得ることができる。さらに、本変形例においては、複数（二つ）のリップ部（２１Ｃａ，２１Ｃｘ）の一部を互いに重なり合うように配置したので、操作部材が往復移動する際に、複数（二つの）リップ部を操作部材の裏面に対し常に確実に当接させ追従させることができ、水密性をより一層向上させることができる。
【００６８】
［第４変形例］
図２０〜図２３は、上記第１の実施形態のスイッチ装置におけるシール部材についての第４変形例を示す図である。このうち、図２０は、本変形例のシール部材の主に上面側を示す外観斜視図である。図２１は、図２０の矢印符号［２１］方向から見た平面図である。図２２は、図２１の［２２］−［２２］線に沿う縦断面図である。図２３は、図２１の［２３］−［２３］線に沿う縦断面図である。
【００６９】
本変形例に示すシール部材２１Ｄは、固定部２１Ｄｂと、リップ部２１Ｄａとによって構成されている。本変形例のシール部材２１Ｄは、基本的には上述の第１の実施形態で説明したシール部材２１と略同様の構成からなる。
【００７０】
本変形例のシール部材２１Ｄにおいては、固定部２１Ｄｂの裏面２１Ｄｄから延出するリップ部２１Ｄａが操作部材１３（不図示）の往復移動方向における両端部分近傍のみに形成されている点が異なる。
【００７１】
即ち、本変形例のシール部材２１Ｄにおいては、開口４ｃ（不図示）を囲うように配置されている点において、上述の第１の実施形態及び各変形例と同様である。
【００７２】
一方、本変形例のシール部材２１Ｄにおいては、操作部材の往復移動方向における両端部分近傍にのみリップ部２１Ｄａが形成され、この二箇所に位置するリップ部２１Ｄａは、断面が略Ｕ字形状に形成されたＵ字状部２１Ｄｙを介して連結されている。
【００７３】
リップ部２１Ｄａ自体の形態は、開口４ｃ（不図示）の周縁の一部（操作部材の往復移動の両端部分近傍）を囲い固定部２１Ｄｂの裏面２１Ｄｄから薄膜状に立ち上がり、操作部材１３（不図示）の裏面１３ｂ（不図示）に当接して撓むように形成され、操作部材１３（不図示）の裏面１３ｂ（不図示）に摺接する形態は、上記第１の実施形態等と同様である。この第１リップ部２１Ｄａは、固定部２１Ｄｂの裏面２１Ｄｄから立ち上がり、固定部２１Ｄｂの外周に向けて斜め上方に延出するように形成されている。
【００７４】
上記Ｕ字状部２１Ｄｙは、その円弧状部の外面側の一部が、操作部材の裏面（不図示）に摺接する部位となる。また、同Ｕ字状部２１Ｄｙの上記円弧部に対置する部位に形成される二つの面が固定面２１Ｄｃとなる。この二つの固定面２１Ｄｃが、支持部材（第２外装部材４）の凹部４ｂの平面４ｄ（不図示）に対し、開口４ｃ（不図示）の周縁の一部を覆うようにシール部材２１Ｄを固着させる面となっている。
【００７５】
なお、シール部材２１Ｄ自体は、略円環状に連続的に形成されている、このことから、リップ部２１ＤａとＵ字状部２１Ｄｙとの連結形態は、一方（例えばリップ部２１Ｄａ）の形状から他方（例えばＵ字状部２１Ｄｙ）へと徐々に変化するように形成される。それ以外の構成においては上記第１の実施形態と略同様である。
【００７６】
このような構成の上記第４変形例のシール部材２１Ｄを適用したスイッチ装置においても、上記第１の実施形態と同様の効果を得ることができる。さらに、本変形例においては、操作部材の往復移動の両端部分近傍のみにリップ部２１Ｄａを設けることにより、操作部材のスライド往復移動の際に、使用者（ユーザ），操作者に与える操作負荷を低減させることができ、水密性も損なわない。
【００７７】
［第５変形例］
図２４〜図２７は、上記第１の実施形態のスイッチ装置におけるシール部材についての第５変形例を示す図である。このうち、図２４は、本変形例のシール部材の主に上面側を示す外観斜視図である。図２５は、図２４の矢印符号［２５］方向から見た平面図である。図２６は、図２５の［２６］−［２６］線に沿う縦断面図である。図２７は、図２５の［２７］−［２７］線に沿う縦断面図である。
【００７８】
本変形例に示すシール部材２１Ｅは、全体として小判状環形状に形成されており、その縦断面が全周に亘って略Ｕ字形状に形成されている。そして、その略Ｕ字形状の断面における円弧状外面２５Ｅｙの一部分が、操作部材の裏面（不図示）に摺接する部位となっている。
【００７９】
また、同Ｕ字形状の円弧状外面２１Ｅｙに対置する部位に形成される二つの面が固定面２１Ｅｃとなっている。この二つの固定面２１Ｅｃが、支持部材（第２外装部材４）の凹部４ｂの平面４ｄ（不図示）に対し、開口４ｃ（不図示）の周縁の一部を覆うようにシール部材２１Ｅを固着させる面となっている。
【００８０】
このような構成の上記第５変形例のシール部材２１Ｅを適用したスイッチ装置においても、上記第１の実施形態と同様の効果を得ることができる。さらに、本変形例においては、シール部材２１Ｅの断面が全周に亘って略Ｕ字形状に形成しているので、操作部材の裏面（不図示）との摺接を維持しつつ、操作部材のスライド往復移動に容易に追従する。したがって、これにより、操作部材のスライド往復移動の際に、使用者（ユーザ），操作者に与える操作負荷を低減させることができ、水密性も確保できる。
【００８１】
なお、上記各変形例のシール部材は、固定部が支持部材の外面に固着され、リップ部が操作部材の裏面に摺接するように構成した例を示している。しかし、本発明のシール部材の形態は、これらの例示の形態に限られることはない。例えば、シール部材は、固定部が操作部材の裏面に固着され、リップ部が支持部材の外面に摺接するように構成してもよい。このような構成とした場合にも、上述の各実施形態と全く同様の効果を得ることができる。
【００８２】
また、上記各変形例においては、レンズ鏡筒に設けた操作部材のうちフォーカスリミッターツマミ１３を含むスイッチ装置としての構成例を示しているが、本発明を適用し得るスイッチ装置は、上記例示に限られることはなく、スライド式操作部材に対して広く適用することができる。
【００８３】
例えば、次に説明する第２の実施形態は、押圧操作を伴うスライド式操作部材を含むスイッチ装置を例示するものである。
【００８４】
［第２の実施形態］
図２８，図２９は、本発明の第２の実施形態のスイッチ装置を示す縦断面図である。このうち図２８は当該スイッチ装置の無負荷状態（通常状態）を示している。また、図２９は当該スイッチ装置の操作部材に対し押圧力が付加された状態（押圧状態）を示している。
【００８５】
本実施形態のスイッチ装置２０Ｆは、基本的には上述の第１の実施形態に示されるスイッチ装置２０と略同様の構成からなる。本実施形態においては、操作部材１３が、図２８，図２９において、矢印Ｐに示す方向の押圧操作に対して突没自在に構成されていると同時に、矢印Ｓに沿う方向において、同図符号Ｗで示す範囲内でスライド移動自在に構成されている点が異なるのみである。
【００８６】
そのために、図２８に示す通常状態においては、操作部材１３は第２外装部材４の外表面との間に若干の隙間Ｈを有して配置されている。このとき操作部材１３は、不図示の付勢部材の作用によって、第２外装部材４の外表面との隙間Ｈが維持されるように構成されている。
【００８７】
この状態において、シール部材２１は開口４ｃの周縁を囲うように配置されている。また、シール部材２１の固定面２１ｃは第２外装部材４の凹部４ｂの平面４ｄに対して固着されている。そして、シール部材２１の固定面２１ｃの裏面２１ｄから立ち上がり薄膜状に形成されるリップ部２１ａは、操作部材１３の裏面１３ｂに常に摺接している。その他の構成は、上記第１の実施形態と同様である。
【００８８】
このように構成された上記スイッチ装置２０Ｆにおいては、図２８に示す通常状態にあるときには、シール部材２１のリップ部２１ａが操作部材１３の裏面１３ｂに摺接し、当該リップ部２１ａは開口４ｃ周りに配設される。これにより、当該部位の水密液密状態が維持され、よってスイッチ装置２０Ｆの防塵防滴構造が構成されている。
【００８９】
この状態で、使用者（ユーザ）は、操作部材１３のツマミ部１３ｃを図２８の矢印Ｐ１方向に押圧操作する。すると、操作部材１３は、図２９に示す状態に移行する。このとき操作部材１３は、図２９に示すように、隙間Ｈの分だけ下方、即ち第２外装部材４の側に向けて移動する。この状態においても当該部位の水密液密状態が維持されている。
【００９０】
次いで、この状態において、使用者（ユーザ）は、操作部材１３のツマミ部１３ｃに指をかけて、図２９の矢印Ｓ１方向にスライド操作する。これにより、操作部材１３は、図２９の符号Ｗで示す範囲内でスライド移動する。この状態においても当該部位の水密液密状態が維持されている。
【００９１】
このように、上記スイッチ装置２０Ｆは、操作部材１３と第２外装部材４の凹部４ｂの開口４ｃとの間の水密液密状態を、シール部材２１によって常に維持し得るように構成されている。
【００９２】
以上説明したように本実施形態によっても、上述の第１の実施形態と同様の効果を得ることができる。即ち、押圧操作を伴うスライド式操作部材を含むスイッチ装置２０Ｆに対しても、同様に本発明の構成を適用でき、同様の効果を得ることができる。
【００９３】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００９４】
本発明は、各種の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，音声記録再生機器，録音機，ＧＰＳ（Global Positioning System）を利用したナビゲーション機器等のほか、望遠鏡，双眼鏡，単眼鏡，顕微鏡等の観察用機器や、内視鏡，顕微鏡等のような産業用若しくは医療用の観察機器、または監視カメラや車載用カメラ等、野外で使用する各種の電子機器等に対して広く適用することができる。
【符号の説明】
【００９５】
１……レンズ鏡筒
２……フード筒
３……第１外装部材３
４……第２外装部材４
４ａ，４ｂ……凹部
４ｃ……開口
４ｄ……平面
６……レンズマウントリング
１１……ボタン式操作部材（レンズファンクションボタン）
１２……スライド式操作部材（ＩＳツマミ）
１３……スライド式操作部材（フォーカスリミッターツマミ）
１３ａ……外面
１３ｂ……裏面
１３ｃ……ツマミ部
１３ｄ……操作軸部
１４……回転式操作部材（フォーカスリング）
２０，２０Ｆ……スイッチ装置
２１，２１Ａ２１Ｂ，２１Ｃ，２１Ｄ，２１Ｅ……シール部材
２１ａ，２１Ａａ，２１Ｄａ……リップ部
２１Ｂａ，２１Ｃａ……第１リップ部
２１Ｂｘ，２１Ｃｘ……第２リップ部
２１ｂ，２１Ａｂ，２１Ｂｂ，２１Ｃｂ，２１Ｄｂ……固定部
２１ｃ，２１Ｄｃ，２１Ｅｃ……固定面
２１ｄ，２１Ａｄ，２１Ｂｄ，２１Ｃｄ，２１Ｄｄ……裏面
２１Ｄｙ……Ｕ字状部
２１Ｅｙ……円弧状外面
２５Ｅｙ……円弧状外面
２２……操作子
２３……ビス
【図１】
2017117583.tif 000003
【図２】
2017117583.tif 000004
【図３】
2017117583.tif 000005
【図４】
2017117583.tif 000006
【図５】
2017117583.tif 000007
【図６】
2017117583.tif 000008
【図７】
2017117583.tif 000009
【図８】
2017117583.tif 000010
【図９】
2017117583.tif 000011
【図１０】
2017117583.tif 000012
【図１１】
2017117583.tif 000013
【図１２】
2017117583.tif 000014
【図１３】
2017117583.tif 000015
【図１４】
2017117583.tif 000016
【図１５】
2017117583.tif 000017
【図１６】
2017117583.tif 000018
【図１７】
2017117583.tif 000019
【図１８】
2017117583.tif 000020
【図１９】
2017117583.tif 000021
【図２０】
2017117583.tif 000022
【図２１】
2017117583.tif 000023
【図２２】
2017117583.tif 000024
【図２３】
2017117583.tif 000025
【図２４】
2017117583.tif 000026
【図２５】
2017117583.tif 000027
【図２６】
2017117583.tif 000028
【図２７】
2017117583.tif 000029
【図２８】
2017117583.tif 000030
【図２９】
2017117583.tif 000031